(57)【要約】【課題】  扉やキャビネット本体を上下反転することなく、また強度の劣化を起こすことなく開閉方向の左右反転が可能なキャビネットを提供する。【解決手段】  キャビネット本体１の開口部Ｗの周囲には水切り枠４が形成され、水切り枠４の左右側部の外側に本体側蝶番部材５ａを取り付けるためのネジ孔７ａを備えた固定台７が取り付けられ、左右何れか一方のネジ孔７ａに本体側蝶番部材５ａがネジ止めされている。扉２の左右双方の側面の内側には、扉側蝶番部材５ｂが溶接されており、取り付けられた本体側蝶番部材５ａに対応する扉２の扉側蝶番部材５ｂが蝶番ピン１９を介して本体側蝶番部材５ａに連結されて、扉２がキャビネット本体１に蝶着される。【選択図】  図２
2018037619.tif 000002
【特許請求の範囲】
【請求項１】
内部に機器収納空間を備えて前面が開放されたキャビネット本体と、前記キャビネット本体に蝶着されて前記キャビネット本体の開放された前面を閉塞する扉とを有するキャビネットであって、
前記キャビネット本体の開口部周囲には水切り枠が形成され、当該水切り枠の左右側部の外側に、本体側蝶番部材を取り付けるためのネジ孔が設けられて、左右何れか一方の前記ネジ孔に前記本体側蝶番部材がネジ止めされて成ると共に、
前記扉の左右双方の側面の内側には、扉側蝶番部材が溶接されており、
取り付けられた前記本体側蝶番部材に対応する前記扉の扉側蝶番部材が蝶番ピンを介して前記本体側蝶番部材に連結されて、前記扉が前記キャビネット本体に蝶着されることを特徴とするキャビネット。
【請求項２】
前記本体側蝶番部材を取り付けるためのネジ孔は、前記水切り枠の左右所定位置に溶接された固定台に形成され、
左右何れか一方の前記固定台が使用されて前記本体側蝶番部材が取り付けられることを特徴とする請求項１記載のキャビネット。
【請求項３】
閉じた前記扉をロックするパチン錠を有し、前記キャビネット本体にはパチン錠本体が取り付けられると共に、前記扉にはパチン錠止め金具が取り付けられて成り、
前記パチン錠本体は、引き出し部材を介して前記固定台に取り付けられて、前記引き出し部材により前記キャビネット本体の側面に配置される一方、
前記パチン錠止め金具は、扉の左右双方の側面に穿設された止め金具固定孔のうち、前記パチン錠本体に対応する開放端側の前記止め金具固定孔に固定されて成ることを特徴とする請求項２記載のキャビネット。
【発明の詳細な説明】
【技術分野】
【０００１】
本発明は、電気機器等を収納する金属製のキャビネットに関し、詳しくは扉の開閉方向を左右反転可能としたキャビネットに関する。
【背景技術】
【０００２】
電気機器や通信機器等を収納する金属製のキャビネットには、前面に設けた扉の開閉方向を左右反転可能としたものがある。例えば特許文献１では、キャビネット全体を反転させる簡易な方法で扉の開閉方向の反転を実現している。
【先行技術文献】
【特許文献】
【０００３】
【特許文献１】特開平１０−２５９４９号公報
【発明の概要】
【発明が解決しようとする課題】
【０００４】
扉をキャビネット本体に対して開閉可能とするために両者の間に設けられた蝶番は、キャビネット本体に設けられた本体側蝶番部材と扉に設けられた扉側蝶番部材とが、蝶番ピンにより連結して形成されている。この蝶番部材の取り付けには十分な強度が必要であり、強度を維持するために少なくとも扉側蝶番部材は溶接して扉に取り付けられている。そのため、開閉方向を反転する場合は、上記特許文献１に記載のように扉及びキャビネット本体を反転するか、少なくとも扉のみ反転して対応した。
【０００５】
しかしながら、この反転する形態は扉及びキャビネット本体のうち少なくとも扉が上下非対称な場合は実施できず、この場合は作製する段階で開閉方向（蝶着側）が異なる２種類のものを用意する必要が生じ、種類の増加や在庫の増加を招き好ましい反転形態ではなかった。
【０００６】
そこで、本発明はこのような問題点に鑑み、扉やキャビネット本体を上下反転することなく、また蝶番の強度を劣化させること無く開閉方向の左右反転を可能としたキャビネットを提供することを目的としている。
【課題を解決するための手段】
【０００７】
上記課題を解決する為に、請求項１の発明は、内部に機器収納空間を備えて前面が開放されたキャビネット本体と、キャビネット本体に蝶着されてキャビネット本体の開放された前面を閉塞する扉とを有するキャビネットであって、キャビネット本体の開口部周囲には水切り枠が形成され、当該水切り枠の左右側部の外側に、本体側蝶番部材を取り付けるためのネジ孔が設けられて、左右何れか一方のネジ孔に本体側蝶番部材がネジ止めされて成ると共に、扉の左右双方の側面の内側には、扉側蝶番部材が溶接されており、取り付けられた本体側蝶番部材に対応する扉の扉側蝶番部材が蝶番ピンを介して本体側蝶番部材に連結されて、扉がキャビネット本体に蝶着されることを特徴とする。
この構成によれば、扉側蝶番部材は左右に取り付けられているため、本体側蝶番部材を左右付け替えるだけで、扉及びキャビネット本体を反転すること無く扉の開閉方向を反転できる。また、扉側蝶番部材は溶接されているため、扉側蝶番部材の取付強度を維持できる。更に、扉側蝶番部材は左右に取り付けられていても、扉の内側であるため露出することがなく、美観を損なうことがない。
【０００８】
請求項２の発明は、請求項１に記載の構成において、本体側蝶番部材を取り付けるためのネジ孔は、水切り枠の左右所定位置に溶接された固定台に形成され、左右何れか一方の固定台が使用されて本体側蝶番部材が取り付けられることを特徴とする。
この構成によれば、キャビネット本体の蝶番取付部には固定台が溶接されているため、本体側蝶番部材をネジ止め構造としても取付強度の劣化を防ぐことができる。
【０００９】
請求項３の発明は、請求項２に記載の構成において、閉じた扉をロックするパチン錠を有し、キャビネット本体にはパチン錠本体が取り付けられると共に、扉にはパチン錠止め金具が取り付けられて成り、パチン錠本体は、引き出し部材を介して固定台に取り付けられて、引き出し部材によりキャビネット本体の側面に配置される一方、パチン錠止め金具は、扉の左右双方の側面に穿設された止め金具固定孔のうち、パチン錠本体に対応する開放端側の止め金具固定孔に固定されて成ることを特徴とする。
この構成によれば、本体側蝶番部材を取り付けるための固定台を利用してパチン錠本体が取り付けられるため、別途パチン錠取り付けのためのネジ孔等を設ける必要がない。また、扉はパチン錠止め具を取り付けるための止め金具固定孔を左右に備えているため、左右何れでも容易に取り付けできる。
更に、パチン錠によりロックするため、扉の前面に閉じた扉をロックするための操作ハンドルを取り付ける必要がなく、そのための取り付け孔を扉に設ける必要がない。よって、開閉方向を左右反転しても扉前面の孔の処理等で美観が損なわれることがない。
【発明の効果】
【００１０】
本発明によれば、扉側蝶番部材は左右に取り付けられているため、本体側蝶番部材を左右付け替えるだけで、扉及びキャビネット本体を反転すること無く扉の開閉方向を反転できる。また、扉側蝶番部材は溶接されているため、扉側蝶番部材の取付強度を維持できる。更に、扉側蝶番部材は左右に取り付けられていても、扉の内側であるため露出することがなく、美観を損なうことがない。
【図面の簡単な説明】
【００１１】
【図１】本発明に係るキャビネットの一例を示す斜視図である。
【図２】閉じた状態のキャビネットを蝶番の中心で切断した横断面説明図である。
【図３】図２の部分拡大図を示し、（ａ）はＡ部拡大図、（ｂ）はＢ部拡大図である。
【図４】キャビネットの扉開閉方向を左右反転する際の部材の移動を示す説明図である。
【図５】扉の開閉方向を反転したキャビネットの斜視図である。
【発明を実施するための形態】
【００１２】
以下、本発明を具体化した実施の形態を、図面を参照して詳細に説明する。図１は本発明に係るキャビネットの斜視図であり、１は内部に機器収納空間を備えて前面が開放されたキャビネット本体１、２はキャビネット本体１の開放された前面を閉塞する扉２であり、両者は金属板を板金加工して形成されている。
扉２は正面視左端がキャビネット本体１に蝶着され、右側から開放可能であり図１は扉２を開けた状態を示している。
【００１３】
キャビネット本体１は、箱体を構成する６面のうち前面を除く５面が閉塞されて形成され、前面１５には大きな開口部Ｗが形成されている。具体的に、左側面１１ａ、右側面１１ｂ、上面１２、底面１３、背面１４を有し、前面１５に形成された開口部Ｗの周囲には水切り枠４が形成されている。
水切り枠４は、起立枠４ａと起立枠４ａの先端に設けられた前面枠４ｂとを有し、前方に突出形成され、扉２を蝶着する蝶番５はこの起立枠４ａの左側部と扉２との間に上下２箇所取り付けられている。
一方、扉２は前面板２１とその周囲側面を形成して水切り枠４の周囲を覆う側枠２２とを有し、蝶番５は側枠２２の左側背部に取り付けられている。
【００１４】
また、キャビネットの右側には、閉じた扉２をロックするパチン錠６が上下２箇所に設けられている。パチン錠６は、キャビネット本体１に取り付けられたパチン錠本体６ａと、扉２に設けられたパチン錠止め金具６ｂとで構成されている。
【００１５】
図２は閉じた状態のキャビネットを蝶番５の中心付近で切断した横断面説明図であり、図３（ａ）はＡ部の拡大図、図３（ｂ）はＢ部の拡大図である。
図２，３に示すように、蝶番５の本体側蝶番部材５ａ及びパチン錠６のキャビネット本体１に取り付けられるパチン錠本体６ａは、水切り枠４に固着された固定台７に対して取り付けられている。但し、パチン錠本体６ａは引き出し部材８を介して固定台７に取り付けられている。
【００１６】
具体的に、固定台７は四角形の金属製板体であり、水切り枠４の左右それぞれ２箇所の所定の位置に溶接により固着され、この固定台７に本体側蝶番部材５ａ及びパチン錠６を取り付けるためのネジ孔７ａが設けられている。このネジ孔７ａは、貫通形成されずに一定量の深さで形成され、固定台７はネジ孔７ａの深さを確保するために所定の厚みを有している。
【００１７】
本体側蝶番部材５ａは左側の固定台７にネジ１７によりネジ止めされ、パチン錠６は右側の固定台７にネジ１７によりネジ止めされている。但し、パチン錠本体６ａは、まず引き出し部材８が固定台７にネジ止めされた後、この引き出し部材８にパチン錠本体６ａがネジ止めされて取り付けられる。
【００１８】
一方、扉２の側枠２２の左右側部の内側には、蝶番５の他方を構成する扉側蝶番部材５ｂが溶接されている。図１ではこのうち正面視左側の扉側蝶番部材５ｂが使用されて、キャビネット本体１に取り付けられた本体側蝶番部材５ａと共に蝶番ピン１９が挿入され、蝶番５が形成されて両者は連結される。
【００１９】
また、キャビネット本体１に取り付けられたパチン錠本体６ａと対を成すパチン錠止め金具６ｂは、扉２の側枠２２の左右両側に予め設けられている止め金具固定孔としてのネジ孔２２ａのうちの右側のネジ孔２２ａを使用して取り付けられ、ネジ１８によりネジ止めされている。
【００２０】
図４は扉２の開閉方向を左右反転する際の部材の移動を示す説明図であり、この図４に示すようにキャビネット本体１は、上下２箇所の本体側蝶番部材５ａとパチン錠本体６ａとが左右で交換される。また扉２は、パチン錠止め金具６ｂが右側から左側に移動される。尚、１９ａは蝶番ピン１９の抜けを防止するＥリング、１６は使用しないネジ孔２２ａを目隠しする孔隠しキャップである。
【００２１】
具体的に、まず蝶番５の軸を成す蝶番ピン１９が抜き取られて、扉２がキャビネット本体１から分離される。そして、キャビネット本体１は、パチン錠本体６ａが取り付けられている引き出し部材８、及び本体側蝶番部材５ａが固定台７から取り外される。その後、分離された本体側蝶番部材５ａと引き出し部材８とが、左右交換されて同一のネジ１７により取り付けられる。
また扉２は、右側のパチン錠止め金具６ｂ、及び左側の孔隠しキャップ１６が取り外され、左右交換されて再び取り付けられる。
【００２２】
その後、右側に移動した本体側蝶番部材５ａ及び扉側蝶番部材５ｂの双方を重ね合わせて、蝶番ピン１９を挿通して一体化すれば、扉２はキャビネット本体１に蝶着され、開閉方向が反転される。
こうして開閉方向が反転されたキャビネットを図５に示している。図５に示すように、キャビネット本体１及び扉２を反転すること無く開閉方向が反転される。
【００２３】
このように、扉側蝶番部材５ｂは左右に取り付けられているため、本体側蝶番部材５ａを左右付け替えるだけで、扉２及びキャビネット本体１を反転すること無く扉２の開閉方向を反転できる。また、扉側蝶番部材５ｂは溶接されているため、扉側蝶番部材５ｂの取付強度を維持できるし、扉側蝶番部材５ｂは左右に取り付けられていても、扉の内側であるため露出することがなく、美観を損なうことがない。
また、キャビネット本体１の蝶番取付部には固定台７が溶接されているため、本体側蝶番部材５ａをネジ止め構造としても取付強度の劣化を防ぐことができる。
更に、本体側蝶番部材５ａを取り付けるための固定台７を利用してパチン錠本体６ａが取り付けられるため、別途パチン錠取り付けのためのネジ孔等を設ける必要がないし、扉２側もパチン錠止め金具６ｂを取り付けるためのネジ孔２２ａを左右に備えているため、左右何れでも容易に取り付けできる。
また、パチン錠６によりロックするため、扉２の前面に閉じた扉をロックするためのための操作ハンドルを取り付ける必要がなく、そのための取り付け孔を扉２に設ける必要がない。よって、開閉方向を左右反転しても扉前面の孔の処理等で美観が損なわれることがない。
【００２４】
尚、上記実施形態では、本体側蝶番部材５ａ及びパチン錠６を取り付ける固定台７には、ネジ孔７ａを一定の深さで形成しているが、水切り枠４も含めて貫通形成しても良い。
【符号の説明】
【００２５】
１・・キャビネット本体、２・・扉、４・・水切り枠、５・・蝶番、５ａ・本体側蝶番部材、５ｂ・・扉側蝶番部材、６・・パチン錠、６ａ・・パチン錠本体、６ｂ・・パチン錠止め金具、７・・固定台、７ａ・・ネジ孔、８・・引き出し部材、１７・・ネジ、１８・・ネジ、１９・・蝶番ピン、２２・・側枠、２２ａ・・ネジ孔（止め金具固定孔）、Ｗ・・開口部。
【図１】
2018037619.tif 000003
【図２】
2018037619.tif 000004
【図３】
2018037619.tif 000005
【図４】
2018037619.tif 000006
【図５】
2018037619.tif 000007